(57)【要約】【課題】  洗面化粧台などの鏡面の適宜位置に、鏡面装着具本体を着脱可能に取付けることができる。装着した時に拡大鏡となり、化粧時や髭剃りあるいはコンタクトレンズの装着が容易になる。【解決手段】  合成樹脂製の鏡板装着具本体１の内側部に、中央部が周辺部より厚く形成した凸レンズ作用をなすクリアな透視部を設ける。その鏡板装着具本体１を鏡板Ｍに着脱可能に取付ける。透視部２に写る像を拡大して映しだす。【選択図】        図３
2006102350.tif 000002
【特許請求の範囲】
【請求項１】
合成樹脂製の鏡板装着具本体の内側部に、中央部が周辺部より厚く形成した凸レンズ作用をなすクリアな透視部を備え、その鏡板装着具本体を鏡板に着脱可能に取付け、透視部に写る像を拡大して映しだすことを特徴とする鏡板装着用拡大具。
【請求項２】
鏡板装着具本体の外周縁を傾斜面に形成すると共に、内側部に外周縁の傾斜面とは逆に傾斜する傾斜面を設けてクリアな透視部を内方に突出形成してある請求項１記載の鏡板装着用拡大具。
【請求項３】
鏡板装着具本体は円形に形成されている請求項１または２記載の鏡板装着用拡大具。
【請求項４】
鏡板装着具本体は四角形に形成されている請求項１または２記載の鏡板装着用拡大具。
【請求項５】
鏡板装着具本体に吸着盤を取付けてある請求項１乃至４に記載のいずれか一つ記載の鏡板装着用拡大具。
【発明の詳細な説明】
【技術分野】
【０００１】
本発明は、洗面化粧台や浴室などの壁面に取付けられた鏡面に着脱可能に取付ける鏡板装着用拡大具に係るものであり、さらに詳しくは、鏡面の適宜位置に取付けることができ、顔の一部を拡大して映す拡大鏡になる鏡板装着用拡大具に関するものである。
【背景技術】
【０００２】
従来から、洗面化粧台のミラーキャビネットや浴室などの壁面に取付けられる鏡は姿や顔を映しだすために比較的大きな鏡が用いられており、そのような鏡で化粧をする時には顔全体を映し出すのには適していても、目元や眉毛などの細かな部分を化粧するのには適していない。
【０００３】
例えば、目元にはアイシャドー、アイライン、マスカラなどのアイ・メーキヤップをして目を大きく見せたり、はっきりと見せたりするばかりでなく、陰影や立体感を与えて美しく印象的な目元にする化粧が行われている。そのような細かな部分を化粧するのには、局部を大きく映し出す必要があるために鏡に顔を近付けなければならず、不自然な姿勢で化粧などを行っていた。
【０００４】
そのような問題点を解消するものとして、洗面化粧台のミラーキャビネットの前に拡大鏡を上下スライド可能に取付けたものが提案されている。（例えば、特許文献１）
【特許文献１】特開２００２−４８０号公報（第２頁、図３）
【発明の開示】
【発明が解決しようとする課題】
【０００５】
しかしながら、上記の特許文献１はミラーキャビネットと鏡との間に拡大鏡を収納する空間部を設ける必要があり、鏡の裏面には上下に移動可能なスライドバーを配置しなければならず、構造が複雑化すると共に、拡大鏡を使用するに際しても、その都度スライドバーをスライドしなければならない煩わしさがあった。
【０００６】
本発明は、上記のような問題点を解決することを課題として開発されたもので、洗面化粧台などの鏡面の適宜位置に、鏡面装着具本体を着脱可能に取付けて拡大鏡として使用でき、化粧や髭剃りあるいはコンタクトレンズの装着が容易になる鏡板装着用拡大具の提供を目的とするものである。
【課題を解決するための手段】
【０００７】
上記の課題を解決し、その目的を達成する手段として、本発明は合成樹脂製の鏡板装着具本体の内側部に、中央部が周辺部より厚く形成した凸レンズ作用をなすクリアな透視部を備え、その鏡板装着具本体を鏡板に着脱可能に取付け、透視部に写る像を拡大して映しだすことを特徴とする鏡板装着用拡大具を開発し、採用した。
【０００８】
また、本発明は上記のように構成した鏡板装着用拡大具において、鏡板装着具本体の外周縁を傾斜面に形成すると共に、内側部に外周縁の傾斜面とは逆に傾斜する傾斜面を設けてクリアな透視部を内方に突出形成してある鏡板装着用拡大具、および鏡板装着具本体は円形に形成されている鏡板装着用拡大具、および鏡板装着具本体は四角形に形成されている鏡板装着用拡大具、および鏡板装着具本体に吸着盤を取付けてある鏡板装着用拡大具を開発し、採用した。
【発明の効果】
【０００９】
洗面化粧台などの鏡の適宜位置に鏡板装着具本体を取付けると、鏡板装着具本体の内側部に設けた中央部が周辺部より厚く形成した凸レンズ作用をなすクリアな透視部と鏡面との組み合わせ構造によって、透視部を覗けば拡大された像を写しだす拡大鏡となり、例えば、目元や眉毛などを拡大でき細い部分の化粧を行う時の拡大鏡として使用できて非常に便利になる。
【００１０】
また、鏡板装着具本体は、合成樹脂により型成形で一体的に成形されているから、軽量であり鏡面板に取り付けた場合に重みによる落下がなく、かつ大量生産で安価に提供できる。
【００１１】
さらに、鏡板装着具本体は、外周縁を傾斜面に形成してあるから、着脱する際に持ちやすく、指が透視部に触れる事がなく、その部分が汚れたり、曇ったりすることがなく、常にクリアな状態を保持できる。また、内側部に外周縁の傾斜面とは逆に傾斜する傾斜面を設けて内方に突出してあるから、立体的になり透視部に写る像が見やすくなる。
【００１２】
また、吸着盤で鏡板の適宜位置に着脱自在にでき、既存の鏡板に誰でも簡単に装着して使用でき、その取付位置が不適切な個所であれば直ぐに変更ができ、取外した後にも跡形がつくことがない。
【発明を実施するための最良の形態】
【００１３】
以下に、本発明の第１実施の形態を添付図面に基づいて説明すれば、図１〜図４において、１は全体の形状を円形に型成形したアクリル樹脂からなる鏡板装着具本体であって、その内側部に内方に突出する凸レンズ作用をなすクリアな円形状の透視部２を備えている。
【００１４】
この円形状の透視部２は、片面の中央部が周辺部より厚くなっていて周辺に向かって徐々に薄くなる弧状面３を有しており、凸レンズの作用をなし、鏡板装着具本体１の内側部で偏心した状態で成形されている。すなわち、下方部に偏心された円形状の透視部２によって鏡板装着具本体１の正面壁４は上方の幅が広く下部にかけて除々に幅狭くなっている。
【００１５】
また、透視部２を除く他の部分の鏡板装着具本体１は不透明体になっていると共に、その外周縁を外方に向かって拡がる傾斜面５に形成すると共に、円形状の透視部２の外周縁を内方に向かって狭くなる傾斜面６に形成してある。そして、図２に示すように、背面において、鏡板装着具本体１の傾斜端縁５ａと透視部２の傾斜端縁６ａとの間を凹状空間部７に形成して軽量化と材料の削減を図っている。
【００１６】
８は塩化ビニール製の吸着盤であり、鏡板装着具本体１の正面壁４の上部中央部に設けた大小の孔が繋がる連設孔９に取付けられていて吸着面１０と鏡板装着具本体１の傾斜端縁５ａと面一になっている。
【００１７】
このように構成した本発明の第1実施形態の使用状態を作用、効果と共に説明すると、図４に示すように、洗面化粧台Ｗの平面鏡Ｍの適宜位置に吸着盤８の吸着面１０を押し当てれば容易に取付けることができる。この時、鏡板装着具本体１の外周縁を傾斜面５に形成してあるから持ちやすく、かつ円形状の透視部２は内方に突出形成してあるから、透視部２に指が触れにくくなり汚れることがなくなる。
【００１８】
そして、鏡板装着具本体１が平面鏡Ｍに装着されると、中央部が周辺部より厚く周辺に向かって徐々に薄くなる弧状面３を有する透視部２と、平面鏡Ｍとの組み合わせにより凸レンズ作用をなし拡大鏡になり、像を拡大して写すことができ、例えば、アイシャドーやアイラインを入れる目元の化粧をする時、髭剃りあるいはコンタクトレンズの着脱に便利になる。
【００１９】
また、全体がアクリル樹脂製で軽量になっているから吸着盤８で充分取付けられ落下するおそれがない。仮に外れて落下してもガラスでないので破損することがない。そして、円形状の透視部２は内方に突出して立体的に成形されているので透視部２に写る像が見やすくなる。また、鏡板装着具本体１の取付け位置が悪い場合は簡単に付け直しができる。
【００２０】
図５〜図８に示すのは本発明の第２実施の形態を示すもので、上記第１実施の形態と相違しているのは、鏡板装着具本体１の形状を四角形に形成した点のみであって、その材質及びその他の構成並びに作用効果は同一であるから、同一部分には同一符号を付し、かつ構成ならびに作用、効果については説明するのを省略した。
【００２１】
以上、主要な実施例について説明したが、本発明はこれらの実施例に限定されるものではなく、例えば、吸着盤に代えてフック係止具による場合もあり、本発明の目的を達成でき、かつ発明の要旨を逸脱しない範囲内で種々設計変更が可能であり、それらも全て本発明の範囲内に包含されるものである。
【産業上の利用可能性】
【００２２】
本発明の鏡板装着用拡大具は、洗面化粧台の鏡板に限らず、ウォールミラー、あるいは姿見鏡、三面鏡など比較的大きな鏡に利用すれば便利である。
【図面の簡単な説明】
【００２３】
【図１】本発明の第１実施の正面図である。
【図２】本発明の第１実施の背面図である。
【図３】図１のＡ−Ａ線断面図である。
【図４】洗面化粧台に取付けた状態の正面図である。
【図５】本発明の第２実施の正面図である。
【図６】本発明の第２実施の背面図である。
【図７】図６のＢ−Ｂ線断面図である。
【図８】洗面化粧台に取付けた状態の正面図である。
【符号の説明】
【００２４】
１  鏡板装着具本体
２  透視部
５  傾斜面    
６  傾斜面
８  吸着盤
【図１】
2006102350.tif 000003
【図２】
2006102350.tif 000004
【図３】
2006102350.tif 000005
【図４】
2006102350.tif 000006
【図５】
2006102350.tif 000007
【図６】
2006102350.tif 000008
【図７】
2006102350.tif 000009
【図８】
2006102350.tif 000010